(57)【特許請求の範囲】
【請求項１】
光ディスクを回転させるスピンドルモータと、前記光ディスクにレーザを照射するピックアップと、このピックアップを前記光ディスクの径方向に移動可能に保持するガイド機構と、前記スピンドルモータと前記ピックアップと前記ガイド機構とが取り付けられるメカシャシと、このメカシャシを内部に収納可能とする筐体とを有し、光ディスクの脱着の際に前記筐体から前記メカシャシを外部に突出させる構造の光ディスク装置において、
前記メカシャシの前記光ディスクが取り付けられる側と反対側または前記ピックアップの移動方向の側方であって、前記ピックアップに対向して近接する位置に、非接触放熱板材となる前記メカシャシの金属製のアンダーカバーを設け、前記ピックアップと前記アンダーカバーとの間であって、前記ピックアップに樹脂製の移動対応型スペーサを設けてなり、
この移動対応型スペーサは、前記ピックアップと前記アンダーカバーとの０．０５ｍｍ以上、０．５ｍｍ以下の隙間に設けられていることを特徴とする光ディスク装置。
【請求項２】
請求項１記載の光ディスク装置において、
前記移動対応型スペーサは前記ピックアップの外周寄りの複数箇所であり、前記ピックアップの下面に設けられていることを特徴とする光ディスク装置。
【発明の詳細な説明】
【技術分野】
【０００１】
本発明は、ＣＤやＤＶＤ等の光ディスク媒体を駆動する光ディスク装置に関する。
【背景技術】
【０００２】
従来のパソコン用や家庭用録画再生機用の光ディスク装置で、発熱源であるレーザダイオードをもつために高温となりやすいピックアップをピックアップや装置内部の構造の工夫で冷却する技術の例が、特許文献１ないし３に記載されている。特許文献１に記載の光ディスク装置では、ピックアップの発熱源から高熱伝導率の部材を介して、ディスク回転流に曝される部分に配設した放熱フィンに低熱抵抗で接続するようにしている。また、特許文献２に記載の光ディスク装置では、ピックアップの発熱源をピックアップの移動機構のガイド軸寄りに配置すると共に、ピックアップからガイド軸に移動用とは別の伝熱用の軸受を設けて、発熱源からガイド軸に低熱抵抗で接続するようにしている。また、特許文献３に記載の光ディスク装置では、ピックアップの移動範囲にその下面に近接して対向する平面状で非可動の放熱部材を設け、ピックアップの下面との狭い隙間にある空気層を介して低熱抵抗で放熱部材に接続するようにしている。
【０００３】
【特許文献１】特開２００５−１９６８６０号公報
【特許文献２】特開２００２−２８８８４６号公報
【特許文献３】特開２００５−１２２７９２号公報
【発明の開示】
【発明が解決しようとする課題】
【０００４】
上記特許文献1では、グラファイト等の特殊材を通常の金属材に代えること等により、ディスク回転流に曝される部分であるピックアップの上面（カバーに覆われない中央に限られる）や移動方向の前・背面での対流による元々良好な放熱をさらに増やせるが、それ以外のピックアップの下面や側面等の多くの部分ではディスク回転流や対流が弱く放熱も少ないままなので、ピックアップ全体としては十分な放熱ができない。また特許文献２では、ピックアップからガイド軸への熱抵抗を小さくできても、ガイド軸の径や熱伝導率や表面積等は限られていてガイド軸が固定される部品等や周囲空気への熱伝導や対流による熱抵抗が大きいため、ガイド軸を介した放熱増加は限られピックアップ全体としては十分な放熱ができない。また特許文献３では、下面と放熱部材を非常に近接させて（特許文献３では０．３ｍｍ程度）空気層を介した熱伝導や放射による熱抵抗を小さくした上で、面積の大きな放熱部材から周囲空気等への対流や放射によりピックアップ下面からの放熱を増やせるので、前述のように通常でも良好なピックアップの上面や前・背面での放熱と合わせてピックアップ全体として十分な放熱ができる可能性がある。しかしながら、単にピックアップ下面と放熱部材の隙間を上記の程度まで狭めるだけでは関連する部品の変形等により接触が発生しやすくなり、ピックアップに対する移動抵抗の増加や不必要な電気的導通の発生によってディスクの正常な記録・再生が難しくなるという装置の動作上の問題が現れる。また隙間に熱伝導性グリースを充填してさらに放熱増加を図る方法も示されているが、ピックアップの移動の妨げや光学部品の汚染等が顕著となり、動作上の問題がやはり生じてくる。なお上記の放熱部材は、ディスクの脱着の際に装置の筐体から主要部分を外部に突出させる構造で薄型の光ディスク装置で使用される、筐体内の主要部分の下側を保護するために設けられるアンダーカバーと基本的に同じ構成であり、公知のものである。
【０００５】
本発明の目的は、光ディスク装置の特に高温となるピックアップを、装置の動作に問題を生じさせることなく十分に放熱できる手法を提供することにある。
【課題を解決するための手段】
【０００６】
上記目的は、光ディスクを回転させるスピンドルモータと、前記光ディスクにレーザを照射するピックアップと、このピックアップを前記光ディスクの径方向に移動可能に保持するガイド機構と、前記スピンドルモータと前記ピックアップと前記ガイド機構とが取り付けられるメカシャシと、このメカシャシを内部に収納可能とする筐体とを有し、光ディスクの脱着の際に前記筐体から前記メカシャシを外部に突出させる構造の光ディスク装置において、前記メカシャシの前記光ディスクが取り付けられる側と反対側または前記ピックアップの移動方向の側方であって、前記ピックアップに対向して近接する位置に、非接触放熱板材となる前記メカシャシの金属製のアンダーカバーを設け、前記ピックアップと前記アンダーカバーとの間であって、前記ピックアップに樹脂製の移動対応型スペーサを設けてなり、この移動対応型スペーサは、前記ピックアップと前記アンダーカバーとの０．０５ｍｍ以上、０．５ｍｍ以下の隙間に設けられていることにより達成される。
【０００７】
また上記目的は、前記移動対応型スペーサは前記ピックアップの外周寄りの複数箇所であり、前記ピックアップの下面に設けられていることにより達成される。
【発明の効果】
【０００８】
まずピックアップの下面または側面等またはその両方に非可動の非接触放熱板材を直接接触させることなく従来及び特許文献３以上に近接できるので、両者の隙間での空気層を介した熱伝導や放射による熱抵抗をさらに小さくした上で、面積の大きな非接触放熱板材では周囲空気へ対流や放射により良好に放熱できる。ピックアップの下面または側面等で従来以上に良好に放熱できることで、元々良好なピックアップの上面や前・背面での放熱と合わせて、ピックアップ全体として従来以上に十分な放熱が可能となる。さらに、ローラや球やスペーサ等の移動対応型スペーサでの移動対応型としての働き、即ち主要部分が低摩擦な樹脂製(例えば樹脂軸受用の摺動材料)であるため無潤滑でも摩擦が小さく耐摩耗性と電気的絶縁性をもつことにより、ピックアップと非接触放熱板材との隙間が微小となって移動対応型スペーサが何れかと接触しても、ピックアップの移動抵抗の増加は小さく抑えられてピックアップの移動の妨げとはならず、また、摺動かす等の汚染物を発生しないし、ピックアップと非接触放熱板材が不必要に導通することもないので、装置としてディスクの記録・再生等の動作に問題が生じることはない。
【０００９】
すなわち本発明によれば、光ディスク装置の特に高温となるピックアップに対し、装置の動作に問題が生じさせることなくピックアップの下面や側面からの放熱を向上させることにより、元々良好なピックアップの上面や前・背面の放熱と合わせてピックアップ全体を十分に放熱できるようになる。
【発明を実施するための最良の形態】
【００１０】
以下、本発明の実施形態を図面を用いて説明する。
【実施例１】
【００１１】
本発明に係わる光ディスク装置の一実施例を、図１〜図４を用いて説明する。図１は光ディスク装置の概略構造を示す分解斜視図であり、図２は光ディスク装置の筐体から主要部分を引き出した上でアンダーカバーを除いた状態の一部省略部分下面図、図３は光ディスク装置全体の図２に示したＣ−Ｃ断面図、図４は光ディスク装置のピックアップを下方から見た分解斜視図である。本実施例の光ディスク装置は、主にノート型やデスクトップ型パソコンに搭載される薄型のもので、かつディスク５の脱着の際に装置の筐体からピックアップ等の主要部分を外部に突出させるトレイ方式のものである。後述の実施例も含めて、各々の実施例で示した本発明に関わる特有な構成と効果は、他の構造の光ディスク装置に対しても基本的に同様である。
【００１２】
光ディスク装置１は、主に上面をトップカバー２、下・側・背面をボトムカバー３、前面をフロントパネル４でそれぞれ覆われた筐体をもち、筐体内部にはディスク５が載置されるトレイ６がやや上部に、信号処理および電源供給等を行う回路基板７が奥側下部に、トレイ６の中央には装置の主要部品が取り付けられるメカシャシ８が納められている。メカシャシ８には、ディスク５との情報の記録・再生を行うレーザダイオード・レーザ駆動ＩＣ等（図示せず）をもつピックアップ９とディスク回転用のスピンドルモータ１０が備えられ、ピックアップ９の幅方向両側に配置されたガイド機構１１に保持されて、ディスク５の記録・再生時にディスク５の径に沿ったＡ方向にピックアップ９が移動可能になっている。さらにメカシャシ８は、ディスク６の脱着時や装置動作時の保護や意匠性のために、ピックアップ９の幅方向中央を除く上面部分が金属製のユニットカバー１２で、その下面と周囲のトレイ６下面を含む部分が金属製のアンダーカバー１３で覆われている。ディスク６の脱着のためトレイ６がメカシャシ８と共に筐体の外部に搬送される際には、トレイ６はその幅方向両側に配置された搬送機構１４に支持されて筐体の前後のB方向に移動可能になっている。メカシャシ８に対してピックアップ９と筐体の奥側下部の回路基板７はそれぞれ移動するので、それらとの間は折り返した部分をもつフレキシブルプリント配線板１５で接続して、移動を妨げることなく制御・信号処理等を受け渡しするようにしている。ディスク５の記録・再生時には、光ディスク装置１内でピックアップ９のレーザダイオード・レーザ駆動ＩＣ等の光学系とスピンドルモータ１０および回路基板７等が発熱し、記録・再生の速度や使用時間及び使用環境の温度等の条件によっては、発熱密度が大きく、特に高温になりやすいピックアップ９でレーザダイオード等の部品が保証温度以上になり、装置の動作異常や寿命縮減等の問題が発生してくる。従って、光ディスク装置１では、特に高温となるピックアップ９の温度を効果的に下げられるように、ピックアップ９を十分に放熱できる構造・構成等が求められる。
【００１３】
この実施例では、アンダーカバー１３がピックアップ９の下面に対向・近接させた状態でピックアップ９の移動範囲とその周囲のトレイ６の下面を覆うように固定されており、移動対応型スペーサ１６は、アンダーカバー１３とピックアップ９の接触を防止するためにピックアップ９の外周寄りの複数個所であり、メカシャシ８と接続するフレキシブルプリント配線板１５と干渉しない範囲のピックアップ９の下面に設けられている。アンダーカバー１３は金属製なので熱伝導率が大きく、面積も上記のようにピックアップ９の下面よりはるかに大きい。そのため、アンダーカバー１３とピックアップ９の下面との隙間を移動対応型スペーサ１６のスペーサ先端やアンダーカバー固定部等の調整で小さくして空気層の熱伝導や放射による熱抵抗を小さくすれば、アンダーカバー１３はピックアップ９の下面から受け取った熱をいわゆるフィンとして働いて周囲空気へ対流や放射により良好に放熱できるようになる。その結果、元々良好なピックアップ９の上面や前・背面の放熱と合わせて、ピックアップ９全体を十分に放熱できるようになる。
【００１４】
このようなピックアップ９と非接触で放熱を行う非接触放熱板材の有効性を実際に確認するため、図１３に示すモデル試験を行った。このモデル試験では、発熱板がピックアップに、放熱板が非接触放熱板材（この実施例ではアンダーカバー）に相当し、寸法や材質は実際の装置で想定される範囲で選んでいる。試験結果には、放熱板との隙間が約７ｍｍ以上では自然対流や広い空間への放射による弱い放熱のため発熱板の温度は高い状態だが、隙間がそれより小さくなるとまず放射、次いで空気層を介した熱伝導が増えるので発熱板から放熱板への放熱が強くなり、発熱板温度が急低下し、放熱板温度が面積比に相応した割合で漸増する傾向が現れている。通常の薄型・トレイ方式の光ディスク装置１ではピックアップとアンダーカバーの隙間は１ｍｍ程度かやや下であるが、０．２〜０．４ｍｍ程度までさらに小さくすればピックアップ（発熱板）の温度は３〜４℃低下することになる。この結果は供試した仕様での一例であるが、適正な仕様を選べば非接触放熱板材で良好な放熱ができることを基本的に実証するものである。
【００１５】
一方、この実施例でピックアップ９の下面に設けられた移動対応型スペーサ１６は、金属製のピックアップカバー９ｂに形成された支持部と金属製の軸により回転自由に支持された主要部分が樹脂製、特に好適なものとして樹脂軸受用の摺動材料製とされたローラで、ピックアップ本体９ａのローラに対応する部分は回転を妨げないようにくぼみ１７が形成されている。ローラに採用する樹脂軸受用の摺動材料は低摩擦・耐摩耗性・電気絶縁性等に優れるという特徴をもち、具体的にはポリアセタール、ポリテトラフルオロエチレン、ポリエチレン、ポリプロピレン、ポリエーテルエーテルケトン、ポリフェニレンサルファイド等やそれらに類するものから選ぶのが好ましい。これらの材料は無潤滑での摩擦係数が０．３以下、大半のもので０．２以下と一般的な金属の場合の０．５以上に比べて非常に小さく、さらにこの実施例ではローラ構造で転動させるので単純な滑動より実質の摩擦係数は小さくできる。これにより、ピックアップ９とアンダーカバー１３（非接触放熱板材）との隙間が微小となって移動対応型スペーサ１６がアンダーカバー１３と接触しても、元々のガイド機構１１の移動抵抗に対しこれらの接触で増加する移動抵抗は非常に小さく抑えられ、増加する移動抵抗は移動対応型スペーサ１６がなく金属製のピックアップカバー９ｂが直接アンダーカバー１３に接触する場合の数分の１以下であるため、移動の妨げとなることはない。同時に、移動対応型スペーサ１６のローラの材料の耐摩耗性により摺動かす等の汚染物を実用レベルとして発生しないし、ローラの材料の電気絶縁性によりピックアップ９とアンダーカバー１３が不必要に導通することもない。従って、以上のようにこの実施例によれば、アンダーカバー１３（非接触放熱板材）と移動対応型スペーサ１６の働きにより、ピックアップ９全体を十分に放熱でき、その際にディスクの記録・再生等の装置の動作に問題を生じることを防止することができる。
【実施例２】
【００１６】
本発明に係わる光ディスク装置の他の実施例を、図５〜図８を用いて説明する。図５は光ディスク装置１の概略構造を示す分解斜視図であり、図６は光ディスク装置１のトップカバー２とトレイ６を除いた一部省略平面図、図７は光ディスク装置１全体のＤ−Ｄ断面図、図８は光ディスク装置１の奥側の部分側方断面図である。本実施例の光ディスク装置１は、主にタワー型やデスクトップ型パソコンに搭載されるやや厚型のものであり、かつディスク搬送についてはトレイ方式のものである。トレイ６とメカシャシ８は別体であり、光ディスク５の脱着に際しては、トレイ６が外部に突出し、メカシャシ８は筐体内に残る。なお後述の実施例でも共通に、光ディスク装置１の各部品には実施例１と同じ番号を付けて示し、構成と効果の説明は基本的なものや実施例１と異なるものを主体にして説明を行う。
【００１７】
光ディスク装置１は、筐体の上面・側面がトップカバー２で、下面がボトムカバー３で、前面をフロントパネル４で、背面がメカブロック１８（筐体のやや内側の前側にも延びて骨格をなす）で覆われ、筐体内部ではディスク５が載置されるトレイ６がやや上部に、回路基板７が下部に、そしてメカシャシ８が納められている。ピックアップ９はメカシャシ８の内部でスピンドルモータ１０に対し背面の前後方向Ａに移動可能であり、トレイ７はディスク６の脱着のため筐体の前後の方向Ｂに移動可能になっている。薄型の装置と異なり、メカシャシ８の上下は覆われておらず、ピックアップ９はその移動範囲とそれ自体の幅にほぼ相当するトレイ６の中央開口からディスク５の情報の記録・再生を行う構成となっている。
【００１８】
この実施例では、ピックアップ9の下面を覆う非接触放熱板材１９aと、移動のための駆動部とは反対側となる側面を覆う非接触放熱板材１９ｂとが、各々の面に対向・近接させた状態でピックアップ９の移動範囲を覆うようにメカシャシ８に固定されている（側面では非接触放熱板材が片持ち板状に固定）。そして、移動対応型スペーサ１６は主要部分が樹脂軸受用の摺動材料製の球状であって、半球状に窪んだ支持部に収められて自由に回転できるようになっており、ピックアップ９の下面ではピックアップ本体９ａから延びた片持ち板状のピックアップカバー９ｂに、ピックアップ９の側面ではピックアップ本体９ａに固定されている。ピックアップカバー９ｂや非接触放熱板材１９ｂが片持ち板状で、移動対応型スペーサ１６のスペーサ先端を対向面に弾性的に付勢する構造になっていることと、スペーサ先端や非接触放熱板材固定部等の調整とにより、ピックアップ９と非接触放熱板材１９との隙間を、スペーサ１６の先端が常に接触した微小な状態に保つことができる。その上で、非接触放熱板材１９の材質を熱伝導率が大きい金属とし、その面積を上記の構成の範囲でピックアップ９の下面や側面と比べてはるかに大きくすれば、実施例１と同様にピックアップ９の下面や側面で良好に放熱できるようになる。その結果、この実施例でも、元々良好なピックアップ９の上面や前・背面の放熱と合わせて、ピックアップ９全体を十分に放熱できるようになる。
【００１９】
一方、この実施例では移動対応型スペーサ１６の球状部分は樹脂軸受用の摺動材料製で、低摩擦・耐摩耗性・電気絶縁性等をもち、球を転動させる構造なので単純な滑動より実質の摩擦係数をさらに小さくできる。従って実施例１での説明と同様に、ピックアップ９と非接触放熱板材１９との隙間が微小となって移動対応型スペーサ１６が非接触放熱板材１９と接触しても、ピックアップ９に対し元々のガイド機構１１の移動抵抗に対しこれらの接触で追加される分は非常に小さく抑えられてピックアップ９の移動が妨げられることはないし、球の材料の耐摩耗性により摺動かす等の汚染物を実用レベルとして発生しないし、球の材料の電気絶縁性によりピックアップ９と非接触放熱板材１９が不必要に導通することもない。以上により、この実施例でも、非接触放熱板材１９と移動対応型スペーサ１６の働きにより、ディスクの記録・再生等の装置の動作に問題を生じることが無くピックアップ９全体の放熱を向上させることができる。
【実施例３】
【００２０】
本発明に係わる光ディスク装置のさらに他の実施例を、図９および図１０を用いて説明する。図９は光ディスク装置１のアンダーカバー１３を除いたメカシャシ８周辺の一部省略平面図であり、図１０は光ディスク装置１全体の図９に示したＥ−Ｅ断面図である。本実施例の光ディスク装置は、実施例１と同様な薄型のトレイ方式のものである。
【００２１】
この実施例では、ピックアップ９の下面とそれに対向・近接させたアンダーカバー１３との隙間を微小にするため、複数個の樹脂軸受用の摺動材料製であり、ピックアップ９の移動方向に長い帯板状の移動対応型スペーサ１６がピックアップ９の下面の、メカシャシ８に接続するフレキシブルプリント配線板１５と干渉しない範囲に設けられている。ピックアップ９やその周囲の形状等によっては、このような滑動させる帯板状の移動対応型スペーサ１６が簡易で設置しやすい場合がある。この移動対応型スペーサ１６は帯板状なので、ピックアップ９の外周付近かつ移動方向の前端付近及び後端付近を含む位置に複数配置することで、ピックアップ９とアンダーカバー１３の直接接触を効果的に防ぐことができる。帯板状の移動対応型スペーサ１６が簡易で設置しやすい場合がある。帯板状の移動対応型スペーサ１６をピックアップ９の下面に確実に固定し、かつスペーサ１６先端高さを小さく調整可能とするため、ピックアップ９の下面側にくぼみやねじ（図示せず）を加工して移動対応型スペーサ１６を嵌合、螺合または接着するのが好ましい。
【００２２】
実施例１、実施例２と同様に、金属製のアンダーカバー１３とピックアップ９の下面との隙間を、スペーサ先端やスペーサ固定部または非接触放熱板材固定部等の調整とにより微小に保持することで、ピックアップ９の下面からアンダーカバー１３を介して良好に放熱できるようになり、元々良好なピックアップ９の上面や前・背面の放熱と合わせることで、ピックアップ９全体の放熱を向上できる。
【００２３】
一方、この実施例では移動対応型スペーサ１６が樹脂軸受用の摺動材料製の帯板状であり、アンダーカバー１３に接触する場合はスペーサ先端が滑る形で使用される。移動対応型スペーサ１６に用いた樹脂軸受用の摺動材料は、最初の実施例で示したように摩擦係数が一般的な金属の０．５以上に対し多くの場合で０．２以下と１／３程度にまで小さくなっており、また金属に比べて柔らかい樹脂であるため、接触して滑動するようになった場合でも対向する金属の接触部分の微小な凹凸となじみ、金属のように局所的な偏当たりで摩擦係数が大きくなる等の不具合がないため、摩擦係数が小さい値で安定している。従って、摩擦係数と共に移動抵抗の大小に影響する接触部分の面圧や面積を適正にするように隙間の調整等を行うことで、ピックアップ９とアンダーカバー１３との隙間が微小となって移動対応型スペーサ１６がアンダーカバー１３と接触しても、ピックアップ９に対し元々のガイド機構１１の移動抵抗に対しこれらの接触で追加される分は非常に小さく抑えられてピックアップ９の移動が妨げられることはない。また、帯板の材料の耐摩耗性により摺動かす等の汚染物を実用レベルとして発生しないし、帯板の材料の電気絶縁性によりピックアップ９とアンダーカバー１３が不必要に導通することもない。以上から、この実施例でも、アンダーカバー１３（非接触放熱板材）と移動対応型スペーサ１６の働きにより、ピックアップ９全体を十分に放熱でき、その際にディスクの記録・再生等の装置の動作に問題を生じることがない。
【実施例４】
【００２４】
本発明に係わる光ディスク装置のさらに他の実施例を、図１１および図１２を用いて説明する。図１１は、光ディスク装置１のメカシャシ８周辺を取り出して示した部分平面図であり、図１２は光ディスク装置の奥側の部分側方断面図である。本実施例の光ディスク装置は、第２の実施例と同様なやや厚型でトレイ方式のものである。
【００２５】
この実施例では、ピックアップ９の下面とその移動範囲に対向・近接するように非接触放熱板材１９がメカシャシ８に固定され、樹脂軸受用の摺動材料製でシート状の移動対応型スペーサ１６が非接触放熱板材１９の上面でピックアップ９の主要部分の移動範囲を少なくとも含む領域に接着により固定されている。ピックアップ９の下面には下方に向かって複数の丘状の突出部２０が形成され、ピックアップ９と非接触放熱板材１９の隙間が微小となった場合には、これらの突出部２０が非接触放熱板材１９の上面を覆うシート状の移動対応型スペーサ１６と接触するようになっている。移動対応型スペーサ１６は非接触放熱板材１９の上面全体のシート状であり、突出部をピックアップ９の外周付近かつ移動方向の前端付近及び後端付近に複数配置することで、ピックアップ９とアンダーカバー１３の直接接触を効果的に防ぐことができる。この実施例の場合、非接触放熱板材１９とピックアップ９の下面（突出部２０を除く下面の大半部分）との最小の隙間は、突出部２０の高さと非接触放熱板材１９の平面度等で調整される。非接触放熱板材１９は一般的に熱伝導率が大きい金属製であり、その面積は上記のようにピックアップ９の下面主要部分の移動範囲を含むのでかなり大きいことと、突出部２０の高さ等の調整で非接触放熱板材１９とピックアップ９の下面との隙間を微小に保持することにより、実施例１〜３と同様にピックアップ９の下面で良好に放熱できるようになる。その結果、この実施例でも、元々良好なピックアップ９の上面や前・背面の放熱と合わせて、ピックアップ９全体を十分に放熱できるようになる。
【００２６】
一方、この実施例では移動対応型スペーサ１６がシート状で、ピックアップ９の下面と接触する場合は移動対応型スペーサ１６の上面をピックアップ９の下面の突出部２０が滑る形で使用される。樹脂軸受用の摺動材料製の移動対応型スペーサ１６が滑動する形で使用されるのは第３の実施例と同じであり、移動対応型スペーサ１６の材質を樹脂軸受用の摺動材料の中からシート状に向いたものとし、移動抵抗の大小に影響する接触部分の面圧や面積を適正にするように突出部２０の形状・数量・配置等の調整等を行うことで、実施例３と同様に、ピックアップ９と非接触放熱板材１９との隙間が微小となって移動対応型スペーサ１６が突出部２０と接触しても、ピックアップ９に対し元々のガイド機構１１の移動抵抗に対しこれらの接触で追加される分は非常に小さく抑えられてピックアップ９の移動が妨げられることはない。また、移動対応型スペーサ１６の材料の耐摩耗性と電気絶縁性により、摺動かす等の汚染物の発生もないし、ピックアップ９と非接触放熱板材１９が不必要に導通することもない。以上から、この実施例でも、非接触放熱板材１９によりピックアップを十分に放熱させながら、移動対応型スペーサ１６によりディスクの記録・再生等の装置の動作に問題が生じることはない。
【００２７】
なお、以上で説明した実施例の光ディスク装置は、ディスクの脱着の際に装置の筐体から主要部分を外部に突出させるトレイ方式のものに限ったが、主要部分を突出させずに筐体前面の細長い開口からディスクを巻き込み・排出するスロット（イン）方式のものであっても、同様な構成・材質等で非接触放熱板材と移動対応型スペーサを適用すれば、明らかに同様な発明の効果が得られる。
【００２８】
また、移動対応型スペーサを以上で説明したシート状よりも薄い被膜状とする場合、具体的には最初の実施例で示した樹脂軸受用の摺動材料の中で塗料にも適したポリテトラフルオロエチレンに類するフッ素樹脂塗料等が好適である。
【００２９】
なお、前述の非接触放熱板材のモデル試験での説明から、ピックアップ９と非接触放熱板材１９との隙間は小さいほど放熱効果は大きくなるが、本発明の移動対応型スペーサ１６により効果が好適に得られる隙間の範囲は次のように考えられる。隙間の上限については、スペーサなしで保てる隙間が非接触放熱板材１９の平面度程度と考えられるので、それ以下となる。具体的には、非接触放熱板材１９のサイズ（ピックアップの幅や移動量が約４０ｍｍなので放熱板材のサイズは約５０ｍｍ角以上となる）や厚さ（０．２〜０．４ｍｍ程度）から、非接触放熱板材１９の平面度は板厚と同程度から２倍程度となるので、隙間の上限は０．５ｍｍ程度となる。隙間の下限については、例えばロールや球状の移動対応型スペーサ１６ではスペーサ全体の寸法公差程度が設定可能と考えられる。具体的には、ロール等の直径や回転のための軸や支持部とのはめあい部分等の数個所での寸法公差があり、スペーサ全体の寸法公差はＪＩＳ規格Ｂ０４０１−１９６５にある３ｍｍ以下（スペーサ各部品の代表寸法として仮定）の寸法に対する基本公差０．００６〜０．０１ｍｍ（６・７等級）の数倍である０．０５ｍｍ程度となるので、これが下限となる。また帯板やシート・被膜状の移動対応型スペーサ１６としては、利用可能な樹脂材料の厚さには０．０５ｍｍ以下のものもあるが、摺動が常時起こる厳しい条件での耐久性を考えると０．０５ｍｍ程度の厚さが必要であり、これがこれらのスペーサで設定できる隙間の下限となる。従って、本発明での実用的な効果の得られるピックアップ９と非接触放熱板材１９との隙間は、０．０５ｍｍ以上、０．５ｍｍ以下となる。
【００３０】
なお、移動対応型スペーサ１６は低摩擦等の特徴をもつ樹脂軸受用の摺動材料製であり、ピックアップ９に接触することがあってもその移動を妨げないためには摩擦係数が小さい材質の方がよい。しかしながら、接触による摩擦力は接触面と垂直方向の力にも比例し、これは隙間を調整する手段や移動対応型スペーサ１６を弾性的に付勢する手段によりある程度まで抑えることが可能なので、移動対応型スペーサ１６の摩擦係数として樹脂軸受用の摺動材料で実現可能な０．３程度以下になっていれば本発明が有効に使えると考えられる。
【００３１】
以上、それぞれの実施例に即して本発明を説明してきたが、発明実施の形態は実施例に限られず、他の形態でも良い。例えば、ローラ・球・帯板・シート状等の移動対応型スペーサ１６は、ピックアップ９側に取り付けても良いし、非接触放熱板材１９側に取り付けても良く、両方に違う種類のものを取り付けてもよい。また、本発明は、薄型の光ディスク装置でも、厚型の光ディスク装置のどちらにも適用することができる。
【図面の簡単な説明】
【００３２】
【図１】本発明に係る光ディスク装置の一実施例の概略構造を示す分解斜視図である。
【図２】図１に示した本発明に係る光ディスク装置の一部省略部分下面図である。
【図３】図２に示した本発明に係る光ディスク装置全体のＣ−Ｃ断面図である。
【図４】図１に示した本発明に係る光ディスク装置のピックアップを下方から見た分解斜視図である。
【図５】本発明に係る光ディスク装置の他の実施例の概略構造を示す分解斜視図である。
【図６】図５に示した本発明に係る光ディスク装置の一部省略平面図である。
【図７】図６に示した本発明に係る光ディスク装置全体のＤ−Ｄ断面図である。
【図８】図５に示した本発明に係る光ディスク装置の部分側方断面図である。
【図９】本発明に係る光ディスク装置の他の実施例についてのメカシャシ周辺の一部省略下面図である。
【図１０】図９に示した本発明に係る光ディスク装置全体のＥ−Ｅ断面図である。
【図１１】本発明に係る光ディスク装置の他の実施例についてのメカシャシ周辺の一部省略平面図である。
【図１２】図１１に示した本発明に係る光ディスク装置の部分側方断面図である。
【図１３】本発明に係る非接触放熱板のモデル試験の説明図である。
【符号の説明】
【００３３】
１…光ディスク装置、５…光ディスク、６…トレイ、８…メカシャシ、９…ピックアップ、９ａ…ピックアップ本体、９ｂ…ピックアップカバー、１０…スピンドルモータ、１１…ガイド機構、１３…アンダーカバー、１４…搬送機構、１６…移動対応型スペーサ、１９…非接触放熱板材、２０…突出部。
【図１】
0004589221.tif 000002
【図２】
0004589221.tif 000003
【図３】
0004589221.tif 000004
【図４】
0004589221.tif 000005
【図５】
0004589221.tif 000006
【図６】
0004589221.tif 000007
【図７】
0004589221.tif 000008
【図８】
0004589221.tif 000009
【図９】
0004589221.tif 000010
【図１０】
0004589221.tif 000011
【図１１】
0004589221.tif 000012
【図１２】
0004589221.tif 000013
【図１３】
0004589221.tif 000014